(57)【特許請求の範囲】
【請求項１】
整流子を有するロータと、
内部に前記ロータを回転可能に収容するケーシング本体と、
前記整流子に摺接して電流を流すブラシを保持するブラシ格納部と、中央に前記ロータの回転軸における前記整流子よりも先端側を挿通させる貫通孔が設けられた隔壁部と、外周部に配置されたコネクタ部とが一体的に設けられたホルダと、
前記ホルダを間に挟んで前記ケーシング本体に連結されるブラケットと、
前記ホルダと前記ブラケットとの間をシールするシール部材と、
を備える電動モータにおいて、
前記シール部材は、前記ホルダ及び前記ブラケットとに密接してシールするシール部と、該シール部よりも径方向内側に配置され前記ホルダの前記隔壁部との間に空間を形成する非シール部と、を備え、
前記ホルダには呼吸孔が設けられ、前記呼吸孔の一端は、前記コネクタ部内に開口して外部に連通し、前記呼吸孔の他端は、前記隔壁部において前記ブラケットに対向する面に開口し、且つ前記他端の開口は、前記シール部材の前記非シール部に対向して配置されており、
前記呼吸孔の前記他端の開口は、前記シール部材の非シール部と前記ホルダの前記隔壁部との間に形成された第１の空間と、前記第１の空間よりも径方向内側であって前記隔壁部と前記ブラケットとの間に形成された第２の空間と、前記第１の空間と前記第２の空間とを連通するとともに、前記ブラケットと前記ホルダとの間でラビリンス状に形成された連通路と、前記隔壁部の前記貫通孔と前記ロータの前記回転軸との間に形成され前記第２の空間に連通する第３の空間とを介して、前記ケーシング本体の内部に連通していることを特徴とする電動モータ。
【請求項２】
前記呼吸孔の前記他端の開口は、前記ブラシから離間した位置に設けられていることを特徴とする請求項１に記載の電動モータ。
【発明の詳細な説明】
【技術分野】
【０００１】
この発明は、外部との間で通気が可能な電動モータに関するものである。
【背景技術】
【０００２】
電気部品には、該電気部品に設けられた呼吸孔を介して、電気部品の内部と外部との間で通気することができる構造を採用したものがある。
例えば、特許文献１には、内部に制御基板を備えたコントローラのケースに、ケーブル接続用の防水コネクタ部を設け、このコネクタ部にケース内と連通する呼吸孔を設け、コネクタ部にケーブルを接続すると、ケーブル内に形成された空気通路がコネクタ部の呼吸孔を介してケース内に連通し、ケーブル及び呼吸孔を介してケースの内部が外部に連通するように構成されている。
【先行技術文献】
【特許文献】
【０００３】
【特許文献１】特開２０１０−１４０７４７号公報
【発明の概要】
【発明が解決しようとする課題】
【０００４】
しかしながら、特許文献１に記載された構造では、呼吸孔がコネクタ部に直線状に形成されているため、雨水等がコネクタ部の呼吸孔を容易に通過してケース内に侵入し易く、ケース内に収容されている部品（特許文献１においては制御基板）が被水し易いという課題がある。
また、ケース内やコネクタ内に導電性の異物があった場合に、この異物が通気によって飛散し、呼吸孔からコネクタ内等に侵入して、電気的導通部位の信頼性や絶縁性を低下させる虞もある。
【０００５】
そこで、この発明は、モータ内部に雨水等が侵入し難くするとともに、モータ内部に導電性異物が存在した場合にその異物が飛散して不用意に電気的導通部位に至り難くすることができる呼吸可能な電動モータを提供するものである。
【課題を解決するための手段】
【０００６】
この発明に係る電動モータでは、上記課題を解決するために以下の手段を採用した。
請求項１に係る発明は、
整流子を有するロータと、
内部に前記ロータを回転可能に収容するケーシング本体と、
前記整流子に摺接して電流を流すブラシを保持するブラシ格納部と、中央に前記ロータの回転軸における前記整流子よりも先端側を挿通させる貫通孔が設けられた隔壁部と、外周部に配置されたコネクタ部とが一体的に設けられたホルダと、
前記ホルダを間に挟んで前記ケーシング本体に連結されるブラケットと、
前記ホルダと前記ブラケットとの間をシールするシール部材と、
を備える電動モータにおいて、
前記シール部材は、前記ホルダ及び前記ブラケットとに密接してシールするシール部と、該シール部よりも径方向内側に配置され前記ホルダの前記隔壁部との間に空間を形成する非シール部と、を備え、
前記ホルダには呼吸孔が設けられ、前記呼吸孔の一端は、前記コネクタ部内に開口して外部に連通し、前記呼吸孔の他端は、前記隔壁部において前記ブラケットに対向する面に開口し、且つ前記他端の開口は、前記シール部材の前記非シール部に対向して配置されており、
前記呼吸孔の前記他端の開口は、前記シール部材の非シール部と前記ホルダの前記隔壁部との間に形成された第１の空間と、前記第１の空間よりも径方向内側であって前記隔壁部と前記ブラケットとの間に形成された第２の空間と、前記第１の空間と前記第２の空間とを連通するとともに、前記ブラケットと前記ホルダとの間でラビリンス状に形成された連通路と、前記隔壁部の前記貫通孔と前記ロータの前記回転軸との間に形成され前記第２の空間に連通する第３の空間とを介して、前記ケーシング本体の内部に連通していることを特徴とする電動モータである。
【０００７】
このように構成すると、電動モータの外部とケーシング本体内とを、呼吸孔と第１の空間と連通路と第２の空間と第３の空間を介して連通することができ、ケーシング本体内の圧力を外部と等圧にすることができる。
また、コネクタ部から雨水等がケーシング本体内に侵入するには、呼吸孔と第１の空間と連通路と第２の空間と第３の空間からなる距離が長くて複雑な経路を通らなければならないので、ケーシング本体内に雨水等が侵入し難くすることができる。その結果、ケーシング本体内が被水し難くなる。
また、ケーシング本体内に導電性の異物が存在し、通気によって不用意に飛散したとしても、呼吸孔と第１の空間と連通路と第２の空間と第３の空間からなる距離が長くて複雑な経路を通らなければならないので、コネクタ部内等に導電性の異物が侵入し難くすることができる。その結果、コネクタ部の電気的導通部位の信頼性や絶縁性が低下するのを防止することができる。
【０００８】
請求項２に係る発明は、請求項１に記載の発明において、前記呼吸孔の前記他端の開口は、前記ブラシから離間した位置に設けられていることを特徴とする。
このように構成すると、ブラシの摩耗により生じる導電性の異物（摩耗粉）がコネクタ部に侵入し難くすることができる。
【発明の効果】
【０００９】
請求項１に係る発明によれば、ケーシング本体内が被水し難くなるとともに、コネクタ部内の絶縁性が低下するのを防止することができる。
請求項２に係る発明によれば、ブラシの摩耗により生じる導電性の異物（摩耗粉）がコネクタ部に侵入し難くすることができ、コネクタ部内の絶縁性が低下するのを防止することができる。
【図面の簡単な説明】
【００１０】
【図１】この発明の実施形態における電動モータをブラケット側から見た外観斜視図である。
【図２】前記実施形態の電動モータの縦断面図である
【図３】前記実施形態の電動モータの要部を拡大して示す縦断面図である。
【図４】前記実施形態の電動モータにおけるホルダユニットをケーシング本体側から見た背面図である。
【図５】前記実施形態のホルダユニットにおけるホルダをブラケット側から見た正面図である。
【図６】図５のＡ矢視から見たコネクタ部の平面図である。
【図７】前記実施形態の電動モータにおけるシール部材の外観斜視図である。
【図８】前記実施形態の電動モータにおけるフードの外観斜視図である。
【図９】（Ａ）は前記実施形態のフードの正面図、（Ｂ）は同右側面図、（Ｃ）は（Ａ）のＢ−Ｂ矢視断面図である。
【図１０】他の実施形態におけるホルダの外観斜視図である。
【図１１】さらに別の実施形態の電動モータをケーシング本体側から見た外観斜視図である。
【図１２】前記別の実施形態の電動モータの組み立て途中を示す分解斜視図である。
【図１３】さらに別の他の実施形態の電動モータの組み立て途中を示す外観斜視図である。
【発明を実施するための形態】
【００１１】
以下、この発明に係る電動モータの実施形態を図１から図１３の図面を参照して説明する。
図１は電動モータ１の外観斜視図であり、図２は電動モータ１の縦断面図であり、図３は要部を拡大して示す縦断面図である。
電動モータ１は、ケーシング２と、ケーシング２に回転可能に支持されたロータ（アーマチュア）３と、ケーシング２に固定され後述するブラシ３１を保持するホルダユニット４と、を備えている。なお、以下の説明では、ロータ３の軸方向をモータ軸方向（以下、軸方向と略す）といい、ケーシング２及びロータ３の径方向をモータ径方向（以下、径方向と略す）というものとする。
【００１２】
ケーシング２は、アルミニウム材からなる略円板状のブラケット５と、後端を閉塞させ前端を開口させた磁性材からなる略円筒状のケーシング本体６とから構成され、ブラケット５とケーシング本体６との間にホルダユニット４を挟装させて、ケーシング本体６の前端をブラケット５にねじ（図示略）で締結することにより連結されている。ケーシング本体６の磁石収容部６０の内周面には、界磁用の二つの永久磁石７が径方向に対向して固定されており、それによりステータが構成されている。
ブラケット５の中央には、ロータ３の回転軸（出力軸）２０を挿通させる孔部８が形成されている。また、ブラケット５においてホルダユニット４に対向する面には、孔部８と同芯上に、内側から、軸受取付凹部１１と、環状のインロー溝１２と、環状のシール部材収容凹部１３と、ホルダ最外側収容凹部１４と、が設けられており、インロー溝１２とシール部材収容凹部１３との間は非シール部受け面１５となっている。また、図１に示すように、ブラケット５の外周部の上側には径方向外側に開口する切り欠き部１６が形成されている。
【００１３】
ロータ３は、回転軸２０と、回転軸２０に固定されたロータコア２１と、ロータコア２１のスロットに巻装されたコイル２３とを備えている。回転軸２０は、ブラケット５の軸受取付凹部１１に固定された軸受９と、ケーシング本体６の後端に固定された軸受１０によって回転可能に支持されており、回転軸２０の先端部がブラケット５の孔部８を介して外部に突出している。回転軸２０の先端部にはギヤ部が一体的に設けられ、図示しない被駆動体の減速機構等と連結されるようになっている。ロータコア２１は、ケーシング本体６に固定された永久磁石７と対向するように配置されている。
【００１４】
ケーシング２の内部に位置するロータ３前端側には、コイル２３に流れる電流の方向を切り替える整流子２４が配置されている。整流子２４は、周方向に配列された複数のセグメント２５を備え、各セグメント２５にそれぞれのコイル２３が接続されている。
【００１５】
図４は、ホルダユニット４を軸方向の後端側（ケーシング本体６側）から見た背面図であり、ロータ３のセグメント２５を仮想線で示している。
ホルダユニット４は、樹脂材料からなるホルダ３０と、ホルダ３０に支持された一対のブラシ３１と、ブラシ３１を径方向内側に付勢する一対のスプリング３２と、ブラシ３１に外部から給電する一対のターミナル３３と、を備えている。ブラシ３１は、整流子２４のセグメント２５に摺接して整流子２４に電流を流す部材であり、ターミナル３３はブラシ３１に外部から給電する部材である。
【００１６】
ホルダ３０は、正面視略円形をなす本体部３４と、本体部３４と一体に形成され本体部３４の上部から上方に延出する筒状のコネクタ部３５と、本体部３４の前面側（ブラケット５側）に固定された蓋体３６（図２、図５参照）と、を備えている。
本体部３４の周壁部３７は、図２に示すように、ブラケット５のホルダ最外側収容凹部１４に収容され、コネクタ部３５は、図１に示すように、ブラケット５の切り欠き部１６に収容されている。
【００１７】
本体部３４の後面側（ケーシング本体６と対向する側）には、周壁部３７の内側に、ケーシング本体６に対するインロー部３９が、ケーシング本体６に接近する方向へ突出形成されている。インロー部３９は周壁部３７よりも小径の円環状をなし、周壁部３７と同芯状に設けられている。このインロー部３９は、ケーシング本体６の開口側に形成された係合凹部６１に嵌入され、これによりホルダ３０とケーシング本体６との芯出しが行われる。なお、係合凹部６１の内径は磁石収容部６０の内径よりも大径にされている。また、本体部３４のインロー部３９とケーシング本体６の開口周壁との間には、ホルダ３０とケーシング本体６との間をシールする環状のシール部材６２が取り付けられている。
【００１８】
本体部３４のインロー部３９の内側には隔壁部３８が形成されており、隔壁部３８の中央には、ロータ３の回転軸２０を挿通させる貫通孔４５が、インロー部３９と同芯上に形成されている。
本体部３４の後面側であってインロー部３９の内側には、貫通孔４５を間に挟んでその両側に一つずつブラシ格納部４０が隔壁部３８と一体的に設けられている。ブラシ格納部４０は、コネクタ部３５から周方向に９０度離間して配置されている。ブラシ格納部４０は、上壁部（仮保持部）４１と一対の側壁部４２とにより断面略コ字形に形成されており、径方向の両側と本体部３４の前面側（ロータ３とは反対側）を開口させている。
【００１９】
また、本体部３４の後面側であってインロー部３９の内側には、ブラシ格納部４０よりもコネクタ部３５から離間する側に、スプリング３２を支持するピン４３が、各ブラシ格納部４０の近傍にそれぞれ一つずつ隔壁部３８から起立して一体的に設けられている。
【００２０】
ブラシ格納部４０の上壁部４１には、この上壁部４１の径方向内側の端部に開口するＵ字形の溝部４４が形成されている。
また、隔壁部３８には、各ピン４３の近傍であってブラシ格納部４０から周方向に離間する側に、係止爪４８が一体的に突設されている。係止爪４８は、上端を径方向外側に屈曲させた逆Ｌ字形をなしている。
【００２１】
各ブラシ格納部４０にはそれぞれ、直方体形状をなすブラシ３１が収容されており、ブラシ格納部４０の前面側の開口は、一対のブラシ格納部４０にそれぞれブラシを挿入した後、図５に示すように、本体部３４の前面側にスナップフィットによって固定される樹脂製の蓋体３６によって塞がれ、これによりブラシ３１はブラシ格納部４０から前面側に脱落しないようにされている。
【００２２】
スプリング３２は、コイル部５０と、コイル部５０の一端に連なる第１端部５１と、コイル部５０の他端に連なる第２端部５２とから構成されている。スプリング３２は、ピン４３をコイル部５０に挿入することによって本体部３４に取り付けられており、第１端部５１が係止爪４８に係止され、第２端部５２がブラシ格納部４０内に挿入されてブラシ３１の後端に係止されている。そして、このスプリング３２によってブラシ３１は径方向内方へと押圧され、この付勢力によりブラシ３１は整流子２４のセグメント２５に押し付けられるようになっている。
なお、ブラシ格納部４０の二つの側壁部４２のうちピン４３に対向して配置された側壁部４２には、この側壁部４２の径方向外側の端部に開口し径方向内側に向かって延びる溝（図示せず）が形成されている。スプリング３２の第２端部５２はこの溝を挿通することによって、ブラシ格納部４０の内部に挿入されている。
【００２３】
ブラシ３１の径方向外側の上面にはピグテイル５９の一端が接合されており、ピグテイル５９はブラシ格納部４０の上壁部４１の溝部４４を挿通してブラシ格納部４０の外に引き出され、このピグテイル５９の他端がターミナル３３に接合されている。
ターミナル３３はインサート成形によりホルダ３０と一体的に形成にされており、ターミナルの先端がコネクタ部３５の内部に露出している。
【００２４】
図５はホルダ３０を前面側（ブラケット５と対向する側）から見た正面図であり、本体部３４の前面側には、周壁部３７の内側に周壁部３７よりも小径で周壁部３７と同芯状の円環状をなすシール筒部７０がブラケット５に接近する方向へ突出形成されている。このシール筒部７０の内径は後面側のインロー部３９の内径と略同一径にされており、したがって、シール筒部７０の内側は前述した隔壁部３８となっている。このシール筒部７０は、ブラケット５のシール部材収容凹部１３に挿入されている。
【００２５】
さらに、本体部３４の前面側であってシール筒部７０の内側には、ブラケット５に対するインロー部７１が、ブラケット５に接近する方向に突出形成されている。
この図に示すように、インロー部７１は、シール筒部７０と同芯上に形成された円弧片であって、シール筒部７０の内径より小さい同一外径の四つの円弧片７１ａ〜７１ｄから構成されている。第１の円弧片７１ａはコネクタ部３５に対向する位置に配置されており、第１の円弧片７１ａから周方向両側に離間して第２の円弧片７１ｂと第３の円弧片７１ｃが配置され、第１の円弧片７１ａの周方向反対側に第４の円弧片７１ｄが配置されている。そして、第２の円弧片７１ｂと第４の円弧片７１ｄの間、及び、第３の円弧片７１ｃと第４の円弧片７１ｄの間に、それぞれブラシ格納部４０の前面側の開口が位置している。このインロー部７１の内周面側には径方向内側に向けて複数のリブ７１ｅが設けられ、各リブ７１ｅの内径側を結ぶ線はブラケット５のインロー溝１２と同芯状の円となるよう設定されている。このリブ７１ｅが、ブラケット５のインロー溝１２に嵌入され、これによりホルダ３０とブラケット５との芯出しが行われる。
【００２６】
また、第１の円弧片７１ａと第２の円弧片７１ｂの間、及び、第１の円弧片７１ａと第３の円弧片７１ｃの間には、隔壁部３８を貫通する孔７２が形成されている。この孔７２は、その深さの中間部において、樹脂製の本体部３４に埋設されているターミナル３３によって塞がれている。
【００２７】
隔壁部３８において、第４の円弧片７１ｄの外側に位置する下側隔壁部３８ｂは、第１の円弧片７１ａと第２の円弧片７１ｂと第３の円弧片７１ｃの外側に位置する上側隔壁部３８ａよりも後面側（ロータ３の方向）に凹んでいる。この凹んでいる下側隔壁部３８ｂとブラシ格納部４０の前面側の開口部分に、前述した蓋体３６がスナップフィットによって固定され、蓋体３６の表面と上側隔壁部３８ａの表面とが面一になるようになっている。なお、回転軸２０を挿通させる貫通孔４５は、隔壁部３８においてインロー部７１の内側に位置する中央隔壁部３８ｃの中央に形成されている。
【００２８】
また、ホルダ３０には呼吸孔７２が設けられている。図６に示すように、呼吸孔７２の一端７２ａは、コネクタ部３５の底部３５ａに開口して外部に連通しており、図５に示すように、呼吸孔７２の他端７２ｂは上側隔壁部３８ａの前面（ブラケット５に対向する面）であってシール筒部７０の径方向内側において上側隔壁部３８ａの径方向最外縁に開口している。つまり、呼吸孔７２の他端７２ｂは、ブラシ３１から離間して、ホルダ３０の本体部３４の外周に近い位置に開口している。
【００２９】
図２に示すように、ブラケット５とホルダ３０との間にはシール部材７３が取り付けられている。図７はシール部材７３の斜視図であり、シール部材７３は、ブラケット５のシール部材収容凹部１３に収容される円環状のシール部７４と、ブラケット５の非シール部受け面１５に当接する円環状の非シール部７５とを有し、シール部７４の内周部と非シール部７５の外周部とが段差部７６とによって接続されて構成されている。
【００３０】
シール部７４は、ブラケット５に当接する面及びホルダ３０に当接する面のいずれも平坦面に形成されている。一方、非シール部７５は、ブラケット５に当接する面は平坦面に形成されているが、ホルダ３０に当接する面には、周方向に一周する突条７６と、径方向に延びる複数の突条７７とが設けられている。
シール部７４は、ブラケット５のシール部材収容凹部１３に収容され、シール部材収容凹部１３に挿入されたホルダ３０のシール筒部７０の先端に押圧されることにより、シール部材収容凹部１３の底面とシール筒部７０の先端のシール面７０ａに密着する。これにより、ブラケット５とホルダ３０との間がシールされる。
【００３１】
一方、非シール部７５は、前記平坦面をブラケット５の非シール部受け面１５に当接させ、突条７６，７７をホルダ３０の上側隔壁部３８ａ及び蓋体３６の表面に当接させて、ブラケット５とホルダ３０との間に挟装される。これにより、蓋体３６は本体部３４に押し付けられた状態で保持される。また、突条７６，７７が設けられていることにより、図３に示すように、非シール部７５とホルダ３０の上側隔壁部３８ａ及び蓋体３６の表面との間に第１の空間８１が形成される。
【００３２】
また、図３に示すように、ホルダ３０の本体部３４においてインロー部７１よりも内側に位置する中央隔壁部３８ｃは、ブラケット５から軸方向に離間して配置されており、中央隔壁部３８ｃとインロー溝１２よりも径方向内側のブラケット５との間に第２の空間８２が形成されている。
【００３３】
また、図３に示すように、ホルダ３０の本体部３４の貫通孔４５の内周面とロータ３の回転軸２０の外周面との間には第３の空間８３が形成されている。
さらに、図５に示すように、ホルダ３０の本体部３４において、インロー部７１の内周側に設けられた複数のリブ７１ｅとインロー溝１２との間に形成される空間を介して連通路８４が形成されている。また、インロー部７１の第１の円弧片７１ａと第２の円弧片７１ｂの間、及び、第１の円弧片７１ａと第３の円弧片７１ｃの間も連通路８４としての機能を有する。したがって、連通路８４は、呼吸孔７２の他端７２ｂとの間でその通気経路がラビリンス状となるよう形成されている。
【００３４】
これら第１の空間８１と連通孔８４と第２の空間８２と第３の空間８３とを介して、呼吸孔７２はケーシング本体６内に連通されている。詳述すると、呼吸孔７２の他端７２ｂは、ホルダ３０の本体部３４における上側隔壁部３８ａの前面に開口しているので、この他端７２ｂは第１の空間８１に連通する。第１の空間８１は、他端７２ｂからラビリンス状に形成された連通路８４を介して第２の空間８２に連通し、第２の空間８２は第３の空間８３に連通し、第３の空間８３はケーシング本体６の内部に連通している。したがって、呼吸孔７２は、第１の空間８１と連通孔８４と第２の空間８２と第３の空間８３とからなる距離の長い曲がりくねった複雑な経路を介して、ケーシング本体６内に連通することとなる。
【００３５】
ホルダ３０のコネクタ部３５には図示しない雄コネクタが嵌入され、前記雄コネクタに接続された図示しないハーネスの導線がターミナル３３に接続され、前記ハーネス内部に形成された図示しない通路とホルダ３０の呼吸孔７２とが接続される。これにより、ハーネスを介して電動モータ１のケーシング本体６内と外部とを連通させることができ、呼吸することができるようになっている。
【００３６】
しかしながら、前述したように、呼吸孔７２は、第１の空間８１と連通孔８４と第２の空間８２と第３の空間８３とからなる距離の長い曲がりくねった複雑な経路を介して、ケーシング本体６内に連通しているので、コネクタ部３５からケーシング本体６内に雨水等を侵入し難くすることができる。その結果、ケーシング本体６内を被水し難くすることができる。
【００３７】
また、ブラシ３１の摩耗により生じた摩耗粉などの導電性の異物がケーシング本体６からコネクタ部３５に漏出する場合も、距離の長い曲がりくねった複雑な前記経路を通らなければならないので、前記導電性異物がコネクタ部３５に流出し難くなり、コネクタ部３５内の電気的導通性や絶縁性が低下するのを阻止することができる。
特に、呼吸孔７２の他端７２ｂが、ブラシ３１から離間した位置に開口しているので、ブラシの摩耗により生じる導電性の異物（摩耗粉）がコネクタ部に侵入し難くすることができる。
【００３８】
一方、図２に戻って、ケーシング本体６の後壁部６３にも呼吸孔６４が形成されている。これは電動モータ１全体を密閉空間に収容した場合に、前記密閉空間とケーシング本体６内とを連通させるためであり、このようにしておくと、電動モータ１内と前記密閉空間内を等圧にすることができ、その結果、前記密閉空間内を外部と等圧にすることができる。
【００３９】
また、ケーシング本体６の内部において、ホルダ３０の本体部３４とケーシング本体６との間には、フード部材９０が取り付けられている。図８はフード部材９０の斜視図、図９（Ａ）はフード部材９０を後部側から見た正面図、図９（Ｂ）は同右側面図、図９（Ｃ）は図９（Ａ）のＢ−Ｂ矢視断面図である。
【００４０】
フード部材９０は、軸方向の両端を開口させた略円筒状をなしており、ケーシング本体６における磁石収容部６０の前端側に挿入される後筒部９１と、ホルダ３０における本体部３４のインロー部３９の内側に挿入される前筒部９２と、後筒部９１と前筒部９２との間に形成され径方向外側に突出するリング状の鍔部９３と、後筒部９１の後端から径方向内側に向かって延びるリング状の突起部９４と、後筒部９１の外周面に周方向所定間隔に設けられ径方向外側に突出する嵌合突起部９５と、を備えて構成されている。
【００４１】
このフード部材９０は、後筒部９１の嵌合突起部９５をケーシング本体６の磁石収容部６０に嵌合させることによりケーシング本体６に固定されており、前筒部９２が、ホルダ３０における本体部３４のインロー部３９の内側に挿入され、鍔部９３がインロー部３９の端面に突き当たっている。なお、前筒部９２の外周面とインロー部３９の内周面との間には径方向に若干の隙間が形成されている。そして、この取付状態において、フード部材９０の突起部９４が永久磁石７の端面と対向するように配置されている。
【００４２】
このように径方向内側に向かって延びるリング状の突起部９４を備えたフード部材９０が、ケーシング本体６の磁石収容部６０の開口端部に設置されていることにより、ブラシ３１の摩耗により生じた摩耗粉などの導電性の異物が、フード部材９０よりも後方側（永久磁石７側）に侵入し難くすることができ、これによりケーシング本体６の絶縁性が低下するのを抑制することができる。
【００４３】
なお、電動モータ１の取付姿勢が、例えばコネクタ部３５が鉛直方向の上方に位置するように決まっている場合には、前述したフード部材９０を取り付ける代わりに、図１０に示すように、ホルダ３０の本体部３４のインロー部３９において鉛直方向の下方に位置する側の一部、すなわちコネクタ部３５から周方向１８０度離間する側の一部を、ケーシング本体６側に延長させてフード部４６を部分的に形成してもよい。前記導電性の異物は重力により鉛直下方に集まり易いので、集まり易い側にフード部４６を形成することによって、前記導電性異物が、ケーシング本体６の後方側（永久磁石７側）に侵入し難くすることができ、これによりケーシング本体６の絶縁性が低下するのを抑制することができる。
【００４４】
また、図１１に示すように、ホルダユニット４のコネクタ部３５と、ケーシング本体６の呼吸孔６４とを、周方向同一位置に配置する場合には、ケーシング本体６の開口側の外周鍔部６５であって呼吸孔６４と周方向同一位置に、径方向外側に突出する突出片６６を設けておくのが好ましい。
【００４５】
このように突出片６６を設けておくと、図１２に示すように、ブラケット５とホルダユニット４及びロータ３とを組み立てた後に、ロータ３の上からケーシング本体６を被せてていき、ケーシング本体６とブラケット５とをねじ部材６７によって連結する際に、ブラケット５の切り欠き部１６に収納されたコネクタ部３５の上に、ケーシング本体６の突出片６６を配置すれば、コネクタ部３５とケーシング本体６の呼吸孔６４とを周方向同一位置に配置することが容易にできる。したがって、ケーシング本体６の呼吸孔６４を、コネクタ部３５から周方向に１８０度反対側に配置してしまう組み立てミスの発生を確実に防止することができる。
【００４６】
また、前記組み立てミスをより確実に防止することができるように、図１３に示すように、コネクタ部３５においてケーシング本体６側の外面に係合ピン４７を突設しておき、ケーシング本体６に設けた前記突出片６６に係合凹部６８を設けておいて、係合ピン４７を係合凹部６８に係合するようにしてもよい。係合ピン４７と係合凹部６８とが係合しない位置でケーシング本体６とホルダ３０とを重ねると、ケーシング本体６の外周鍔部６５がホルダ３０の係合ピン４７に乗り上げてしまうため、ケーシング本体６の外周鍔部６５をブラケット５の端面に接触させることができなくなるので、その時点でケーシング本体６とホルダ３０との周方向相対位置が間違っていることを認識することができる。その結果、組み立てミスの発生をより確実に防止することができる。
【００４７】
なお、本発明は、前述した実施形態に限るものではない。
例えば、第１の空間８１、第２の空間、第３の空間、連通路の形状等は、前述した実施形態の形状に限るものではなく、本発明の要旨を逸脱しない範囲で適宜変更可能である。
【符号の説明】
【００４８】
１  電動モータ
３  ロータ
５  ブラケット
６  ケーシング本体
２０  回転軸
２４  整流子
３０  ホルダ
３１  ブラシ
３５  コネクタ部
３８，３８ａ，３８ｂ，３８ｃ  隔壁部
４５  貫通孔
７０  シール筒部
７０ａ  シール面
７２  呼吸孔
７２ａ  一端
７２ｂ  他端
７３  シール部材
７４  シール部
７５  非シール部
８１  第１の空間
８２  第２の空間
８３  第３の空間
８４  連通路
【図１】
0005840552.tif 000002
【図２】
0005840552.tif 000003
【図３】
0005840552.tif 000004
【図４】
0005840552.tif 000005
【図５】
0005840552.tif 000006
【図６】
0005840552.tif 000007
【図７】
0005840552.tif 000008
【図８】
0005840552.tif 000009
【図９】
0005840552.tif 000010
【図１０】
0005840552.tif 000011
【図１１】
0005840552.tif 000012
【図１２】
0005840552.tif 000013
【図１３】
0005840552.tif 000014